(57)【要約】      （修正有）【課題】遊技機の制御基板に不正行為が加わるとその事実を簡単にチェック、監視できる遊技機の制御基板及びそれを使用した遊技機の改竄監視システムを提供する。【解決手段】パチンコ機１０の制御基板を構成する基板本体には通信回路部が形成されている。また、パチンコ機１０の背面にはアンテナ３０が１個づつ配設されている。このアンテナ３０はアンテナ用ＬＡＮケーブル３２を介してコントローラーと接続されている。コントローラーはコントローラー用ＬＡＮケーブル３６を介して中継基板３８に接続されている。この中継基板３８は中継基板用ＬＡＮケーブル４０を介してパチンコ店の管理室等に設置されたパソコン４２に接続されている。【選択図】図２
0003135869.tif 000002
【実用新案登録請求の範囲】
【請求項１】
遊技機に設けられて遊技機の制御を行う遊技機の制御基板であって、この遊技機の制御基板を構成する基板本体と、この基板本体に形成された通信回路部と、を有してなることを特徴とする遊技機の制御基板。
【請求項２】
複数の遊技機を１台づつ順番に連続して繰り返し監視する遊技機の改竄監視システムであって、監視する複数の遊技機ごとに設けられた制御基板と、この制御基板を構成する基板本体と、この基板本体に形成された通信回路部と、前記複数の遊技機ごとに対応して配設されると共に前記通信回路部の情報を受信するアンテナと、これらアンテナに接続されてそれぞれのアンテナに対して順番に繰り返し前記通信回路部の情報確認指示を出すと共にそれぞれのアンテナから送られてきた前記通信回路部ごとの情報を照合、判断して前記情報が異常情報であると判断した場合のみ管理用コンピューターに異常情報を報告するコントローラーと、このコントローラーと接続されると共にコントローラーから異常情報の報告を受けると画面に異常情報を発信した通信回路部が設けられた遊技機を特定して表示する前記管理用コンピューターと、を有してなることを特徴とする遊技機の改竄監視システム。
【請求項３】
複数の遊技機を１台づつ順番に連続して繰り返し監視する遊技機の改竄監視システムであって、監視する複数の遊技機ごとに設けられた制御基板と、この制御基板を構成する基板本体と、この基板本体に形成された通信回路部と、前記複数の遊技機ごとに対応して配設されると共に前記通信回路部の情報を受信するアンテナと、これらアンテナに接続されてそれぞれのアンテナに対して順番に繰り返し前記通信回路部の情報確認指示を出すと共にそれぞれのアンテナから送られてきた前記通信回路部ごとの情報を照合、判断して前記情報が異常情報であると判断した場合のみ管理用コンピューターに異常情報を報告する複数のコントローラーと、これら複数のコントローラーと接続されると共にコントローラーから異常情報の報告を受けると画面に異常情報を発信した通信回路部が設けられた遊技機を特定して表示する前記管理用コンピューターと、を有してなることを特徴とする遊技機の改竄監視システム。
【請求項４】
複数の遊技機を１台づつ順番に連続して繰り返し監視する遊技機の改竄監視システムであって、監視する複数の遊技機ごとに設けられた制御基板と、この制御基板を構成する基板本体と、この基板本体に形成された通信回路部と、前記複数の遊技機ごとに対応して配設されると共に前記通信回路部の情報を受信するアンテナと、これらアンテナとアンテナ用ＬＡＮケーブルを介して接続されてそれぞれのアンテナに対して順番に繰り返し前記通信回路部の情報確認指示を出すと共にそれぞれのアンテナから送られてきた前記通信回路部ごとの情報を照合、判断して前記情報が異常情報であると判断した場合のみ管理用コンピューターに異常情報を報告する複数のコントローラーと、これら複数のコントローラーと接続されると共に前記コントローラーから異常情報の報告を受けると画面に異常情報を発信した通信回路部が設けられた遊技機を特定して表示する前記管理用コンピューターと、を有してなることを特徴とする遊技機の改竄監視システム。
【請求項５】
複数の遊技機を１台づつ順番に連続して繰り返し監視する遊技機の改竄監視システムであって、監視する複数の遊技機ごとに設けられた制御基板と、この制御基板を構成する基板本体と、この基板本体に形成された通信回路部と、前記複数の遊技機ごとに対応して配設されると共に前記通信回路部の情報を受信するアンテナと、これらアンテナとアンテナ用ＬＡＮケーブルを介して接続されてそれぞれのアンテナに対して順番に繰り返し前記通信回路部の情報確認指示を出すと共にそれぞれのアンテナから送られてきた前記通信回路部ごとの情報を照合、判断して前記情報が異常情報であると判断した場合のみ中継基板を介して管理用コンピューターに異常情報を報告する複数のコントローラーと、これら複数のコントローラーとコントローラー用ＬＡＮケーブルを介して接続された前記中継基板と、この中継基板と中継基板用ＬＡＮケーブルを介して接続されて前記コントローラーから異常情報の報告を受けると画面に異常情報を発信した通信回路部が設けられた遊技機を特定して表示する前記管理用コンピューターと、を有してなることを特徴とする遊技機の改竄監視システム。
【請求項６】
複数の遊技機を１台づつ順番に連続して繰り返し監視する遊技機の改竄監視システムであって、監視する複数の遊技機ごとに設けられた制御基板と、この制御基板を構成する基板本体と、この基板本体に形成された通信回路部と、前記複数の遊技機ごとに対応して配設されると共に前記通信回路部の情報を受信するアンテナと、これらアンテナと接続されてそれぞれのアンテナに対して順番に繰り返し前記通信回路部の情報確認指示を出すコントローラーと、このコントローラーと接続されてコントローラーから送られてきた前記通信回路部ごとの情報を照合、判断すると共に前記情報が異常情報であると判断した場合のみ画面に異常情報を発信した通信回路部が設けられた遊技機を特定して表示する管理用コンピューターと、を有してなることを特徴とする遊技機の改竄監視システム。
【請求項７】
複数の遊技機を１台づつ順番に連続して繰り返し監視する遊技機の改竄監視システムであって、監視する複数の遊技機ごとに設けられた制御基板と、この制御基板を構成する基板本体と、この基板本体に形成された通信回路部と、前記複数の遊技機ごとに対応して配設されると共に前記通信回路部の情報を受信するアンテナと、これらアンテナと接続されてそれぞれのアンテナに対して順番に繰り返し前記通信回路部の情報確認指示を出す複数のコントローラーと、これら複数のコントローラーと接続されてコントローラーから送られてきた前記通信回路部ごとの情報を照合、判断すると共に前記情報が異常情報であると判断した場合のみ画面に異常情報を発信した通信回路部が設けられた遊技機を特定して表示する管理用コンピューターと、を有してなることを特徴とする遊技機の改竄監視システム。
【請求項８】
複数の遊技機を１台づつ順番に連続して繰り返し監視する遊技機の改竄監視システムであって、監視する複数の遊技機ごとに設けられた制御基板と、この制御基板を構成する基板本体と、この基板本体に形成された通信回路部と、前記複数の遊技機ごとに対応して配設されると共に前記通信回路部の情報を受信するアンテナと、これらアンテナとアンテナ用ＬＡＮケーブルを介して接続されてそれぞれのアンテナに対して順番に繰り返し前記通信回路部の情報確認指示を出す複数のコントローラーと、これら複数のコントローラーと接続されると共にコントローラーから送られてきた前記通信回路部ごとの情報を照合、判断して前記情報が異常情報であると判断した場合のみ画面に異常情報を発信した通信回路部が設けられた遊技機を特定して表示する管理用コンピューターと、を有してなることを特徴とする遊技機の改竄監視システム。
【請求項９】
複数の遊技機を１台づつ順番に連続して繰り返し監視する遊技機の改竄監視システムであって、監視する複数の遊技機ごとに設けられた制御基板と、この制御基板を構成する基板本体と、この基板本体に形成された通信回路部と、前記複数の遊技機ごとに対応して配設されると共に前記通信回路部の情報を受信するアンテナと、これらアンテナとアンテナ用ＬＡＮケーブルを介して接続されてそれぞれのアンテナに対して順番に繰り返し前記通信回路部の情報確認指示を出す複数のコントローラーと、これら複数のコントローラーとコントローラー用ＬＡＮケーブルを介して接続される中継基板と、この中継基板と中継基板用ＬＡＮケーブルを介して接続されると共にそれぞれのコントローラーから前記中継基板を介して送られてきた前記通信回路部ごとの情報を照合、判断して前記情報が異常情報であると判断した場合のみ画面に異常情報を発信した通信回路部が設けられた遊技機を特定して表示する管理用コンピューターと、を有してなることを特徴とする遊技機の改竄監視システム。
【請求項１０】
複数の遊技機を監視する遊技機の改竄監視システムであって、監視する複数の遊技機ごとに設けられた制御基板と、この制御基板を構成する基板本体と、この基板本体に形成された通信回路部と、この通信回路部の情報を読み取ることができるＩＣ読取チェッカーと、を有してなることを特徴とする遊技機の改竄監視システム。
【考案の詳細な説明】
【技術分野】
【０００１】  本考案は、パチンコ機等の遊技機に適用される遊技機の制御基板及びそれを使用した遊技機の改竄監視システムに関する。
【背景技術】
【０００２】  パチンコ機にはパチンコ機のゲーム全般をコントロールする制御部としての制御基板が基板収容ケースに収容された状態で配設されている。この制御基板の基板本体にはパチンコ機の大当たり等を決定する重要なプログラムが記録されたＲＯＭ（Ｒｅａｄ  Ｏｎｌｙ  Ｍｅｍｏｒｙの省略）が取り付けられている。
このため、不正に前記基板収容ケースを開けて前記制御基板を取り外して改竄ＲＯＭ等を取り付けた改竄制御基板を基板収容ケースに入れ替えること等により当該パチンコ機のゲームをコントロールして多くの出玉を不正に獲得する不正行為が可能となっている。
しかし、このような不正行為があった場合でもパチンコ店側は基板収容ケースの外側から基板収容ケースに収容されている制御基板を見て当該制御基板が正規の制御基板か改竄制御基板かを目で見て確認するしかなく、正規の制御基板か否かを判断するのは困難である。
特に、大型のパチンコ店のように多数のパチンコ機が設置されている場合等においては上述のようにして１台づつパチンコ機の制御基板をチェックすることは多大な時間と労力が必要になる。
【考案の開示】
【考案が解決しようとする課題】
【０００３】  本考案は、上記事実に鑑みなされたものであり、遊技機の制御基板を改竄制御基板に交換する等の不正行為が加わると、簡単かつ短時間でチェック、監視することができる遊技機の制御基板及びそれを使用した遊技機の改竄監視システムを提供するものである。
【課題を解決するための手段】
【０００４】  請求項１の考案は、遊技機に設けられて遊技機の制御を行う遊技機の制御基板であって、この遊技機の制御基板を構成する基板本体と、この基板本体に形成された通信回路部と、を有してなることを特徴としている。
請求項２の考案は、複数の遊技機を１台づつ順番に連続して繰り返し監視する遊技機の改竄監視システムであって、監視する複数の遊技機ごとに設けられた制御基板と、この制御基板を構成する基板本体と、この基板本体に形成された通信回路部と、前記複数の遊技機ごとに対応して配設されると共に前記通信回路部の情報を受信するアンテナと、これらアンテナに接続されてそれぞれのアンテナに対して順番に繰り返し前記通信回路部の情報確認指示を出すと共にそれぞれのアンテナから送られてきた前記通信回路部ごとの情報を照合、判断して前記情報が異常情報であると判断した場合のみ管理用コンピューターに異常情報を報告するコントローラーと、このコントローラーと接続されると共にコントローラーから異常情報の報告を受けると画面に異常情報を発信した通信回路部が設けられた遊技機を特定して表示する前記管理用コンピューターと、を有してなることを特徴としている。
請求項３の考案は、複数の遊技機を１台づつ順番に連続して繰り返し監視する遊技機の改竄監視システムであって、監視する複数の遊技機ごとに設けられた制御基板と、この制御基板を構成する基板本体と、この基板本体に形成された通信回路部と、前記複数の遊技機ごとに対応して配設されると共に前記通信回路部の情報を受信するアンテナと、これらアンテナに接続されてそれぞれのアンテナに対して順番に繰り返し前記通信回路部の情報確認指示を出すと共にそれぞれのアンテナから送られてきた前記通信回路部ごとの情報を照合、判断して前記情報が異常情報であると判断した場合のみ管理用コンピューターに異常情報を報告する複数のコントローラーと、これら複数のコントローラーと接続されると共にコントローラーから異常情報の報告を受けると画面に異常情報を発信した通信回路部が設けられた遊技機を特定して表示する前記管理用コンピューターと、を有してなることを特徴としている。
請求項４の考案は、複数の遊技機を１台づつ順番に連続して繰り返し監視する遊技機の改竄監視システムであって、監視する複数の遊技機ごとに設けられた制御基板と、この制御基板を構成する基板本体と、この基板本体に形成された通信回路部と、前記複数の遊技機ごとに対応して配設されると共に前記通信回路部の情報を受信するアンテナと、これらアンテナとアンテナ用ＬＡＮケーブルを介して接続されてそれぞれのアンテナに対して順番に繰り返し前記通信回路部の情報確認指示を出すと共にそれぞれのアンテナから送られてきた前記通信回路部ごとの情報を照合、判断して前記情報が異常情報であると判断した場合のみ管理用コンピューターに異常情報を報告する複数のコントローラーと、これら複数のコントローラーと接続されると共に前記コントローラーから異常情報の報告を受けると画面に異常情報を発信した通信回路部が設けられた遊技機を特定して表示する前記管理用コンピューターと、を有してなることを特徴としている。
請求項５の考案は、複数の遊技機を１台づつ順番に連続して繰り返し監視する遊技機の改竄監視システムであって、監視する複数の遊技機ごとに設けられた制御基板と、この制御基板を構成する基板本体と、この基板本体に形成された通信回路部と、前記複数の遊技機ごとに対応して配設されると共に前記通信回路部の情報を受信するアンテナと、これらアンテナとアンテナ用ＬＡＮケーブルを介して接続されてそれぞれのアンテナに対して順番に繰り返し前記通信回路部の情報確認指示を出すと共にそれぞれのアンテナから送られてきた前記通信回路部ごとの情報を照合、判断して前記情報が異常情報であると判断した場合のみ中継基板を介して管理用コンピューターに異常情報を報告する複数のコントローラーと、これら複数のコントローラーとコントローラー用ＬＡＮケーブルを介して接続された前記中継基板と、この中継基板と中継基板用ＬＡＮケーブルを介して接続されて前記コントローラーから異常情報の報告を受けると画面に異常情報を発信した通信回路部が設けられた遊技機を特定して表示する前記管理用コンピューターと、を有してなることを特徴としている。
請求項６の考案は、複数の遊技機を１台づつ順番に連続して繰り返し監視する遊技機の改竄監視システムであって、監視する複数の遊技機ごとに設けられた制御基板と、この制御基板を構成する基板本体と、この基板本体に形成された通信回路部と、前記複数の遊技機ごとに対応して配設されると共に前記通信回路部の情報を受信するアンテナと、これらアンテナと接続されてそれぞれのアンテナに対して順番に繰り返し前記通信回路部の情報確認指示を出すコントローラーと、このコントローラーと接続されてコントローラーから送られてきた前記通信回路部ごとの情報を照合、判断すると共に前記情報が異常情報であると判断した場合のみ画面に異常情報を発信した通信回路部が設けられた遊技機を特定して表示する管理用コンピューターと、を有してなることを特徴としている。
請求項７の考案は、複数の遊技機を１台づつ順番に連続して繰り返し監視する遊技機の改竄監視システムであって、監視する複数の遊技機ごとに設けられた制御基板と、この制御基板を構成する基板本体と、この基板本体に形成された通信回路部と、前記複数の遊技機ごとに対応して配設されると共に前記通信回路部の情報を受信するアンテナと、これらアンテナと接続されてそれぞれのアンテナに対して順番に繰り返し前記通信回路部の情報確認指示を出す複数のコントローラーと、これら複数のコントローラーと接続されてコントローラーから送られてきた前記通信回路部ごとの情報を照合、判断すると共に前記情報が異常情報であると判断した場合のみ画面に異常情報を発信した通信回路部が設けられた遊技機を特定して表示する管理用コンピューターと、を有してなることを特徴としている。
請求項８の考案は、複数の遊技機を１台づつ順番に連続して繰り返し監視する遊技機の改竄監視システムであって、監視する複数の遊技機ごとに設けられた制御基板と、この制御基板を構成する基板本体と、この基板本体に形成された通信回路部と、前記複数の遊技機ごとに対応して配設されると共に前記通信回路部の情報を受信するアンテナと、これらアンテナとアンテナ用ＬＡＮケーブルを介して接続されてそれぞれのアンテナに対して順番に繰り返し前記通信回路部の情報確認指示を出す複数のコントローラーと、これら複数のコントローラーと接続されると共にコントローラーから送られてきた前記通信回路部ごとの情報を照合、判断して前記情報が異常情報であると判断した場合のみ画面に異常情報を発信した通信回路部が設けられた遊技機を特定して表示する管理用コンピューターと、を有してなることを特徴としている。
請求項９の考案は、複数の遊技機を１台づつ順番に連続して繰り返し監視する遊技機の改竄監視システムであって、監視する複数の遊技機ごとに設けられた制御基板と、この制御基板を構成する基板本体と、この基板本体に形成された通信回路部と、前記複数の遊技機ごとに対応して配設されると共に前記通信回路部の情報を受信するアンテナと、これらアンテナとアンテナ用ＬＡＮケーブルを介して接続されてそれぞれのアンテナに対して順番に繰り返し前記通信回路部の情報確認指示を出す複数のコントローラーと、これら複数のコントローラーとコントローラー用ＬＡＮケーブルを介して接続される中継基板と、この中継基板と中継基板用ＬＡＮケーブルを介して接続されると共にそれぞれのコントローラーから前記中継基板を介して送られてきた前記通信回路部ごとの情報を照合、判断して前記情報が異常情報であると判断した場合のみ画面に異常情報を発信した通信回路部が設けられた遊技機を特定して表示する管理用コンピューターと、を有してなることを特徴としている。
請求項１０の考案は、複数の遊技機を監視する遊技機の改竄監視システムであって、監視する複数の遊技機ごとに設けられた制御基板と、この制御基板を構成する基板本体と、この基板本体に形成された通信回路部と、この通信回路部の情報を読み取ることができるＩＣ読取チェッカーと、を有してなることを特徴としている。
【考案の効果】
【０００５】  本考案の遊技機の制御基板は、制御基板の基板本体に通信回路部が形成されているので遊技機の改竄監視システムに用いることができるという優れた効果を有する。
本考案の遊技機の改竄監視システムは、遊技機の制御基板が改竄制御基板に交換された事実等を短時間でチェック、監視することができるという優れた効果を有する。
また、本考案の遊技機の改竄監視システムは、複数設置されている遊技機の中で改竄制御基板に交換された事実等のおそれのある遊技機を短時間で特定することができるので遊技機を多数設置している店舗において少ない労力で多数の遊技機の制御基板の改竄事実を効率的にチェック、監視することができるという優れた効果を有する。
さらに、本考案の遊技機の改竄監視システムは、遊技機の制御基板が改竄された事実等を短時間で特定してチェック、監視することができるので遊技機の制御基板の改竄事実を直ぐに知ることができ不正行為を未然に防止することができるという優れた効果を有する。
【考案を実施するための最良の形態】
【０００６】  考案を実施するために最良の形態の例として以下のような実施例を示す。
【実施例１】
【０００７】  図１及び図２には本考案に係る遊技機の制御基板及びそれを使用した遊技機の改竄監視システムの第１実施例が示されている。なお、この実施例では遊技機の制御基板及びそれを使用した遊技機の改竄監視システムを遊技機としてのパチンコ機に使用する場合を例にして説明する。
図２に示されるように、遊戯機としてのパチンコ機１０の背面内側に適宜手段を介して基板収容ケース１２が配設固定されている。この基板収容ケース１２はケース本体１２Ａとケース蓋１２Ｂから形成され、ケース本体１２Ａの内側には前記パチンコ機１０の出玉数等のゲームをコントロールする制御部としての制御基板１４（図１参照）が収容されている。
図１に示されるように、この制御基板１４を構成する板状の基板本体１６にはＲＯＭ１８をはじめとして各種電子部品が取り付けられている。なお、この実施例では前記ＲＯＭ１８はワンタイムＲＯＭと呼ばれる一度だけ記録することができる（書換ができない）ＲＯＭを使用している。
また、前記基板本体１６の表面には通信回路部２０が直接形成されている。この通信回路部２０はプリント技術によりアンテナ部２２が形成され、アンテナ部２２には種々の情報が記憶された極めて薄くて小さいＩＣチップ２４が取り付けられている。なお、前記通信回路部２０はパチンコ機１０の回路とは独立しており、パチンコ機１０からの電源供給は受けないようになっている。従って、前記通信回路部２０はパチンコ機１０と独立しているため、パチンコ機１０の動きに影響を与えないようになっている。
図２に示されるように、前記パチンコ機１０の背面には前記通信回路部２０と約３０ｃｍ〜約５０ｃｍの間隔を設けてリング状のアンテナ３０が１個配設されている（なお、図２においては便宜上パチンコ機１０とアンテナ３０が作図上重ならないようにアンテナ３０をパチンコ機１０の横に示す）。なお、前記通信回路部２０と前記アンテナ３０の間隔を約３０ｃｍ〜約５０ｃｍとしたのは通信回路部２０とアンテナ３０が離れすぎるとアンテナ３０が通信回路部２０の情報を受信できなくなるのを防ぐためである。
前記アンテナ３０は前記通信回路部２０との通信を行う装置である。具体的には、前記通信回路部２０のアンテナ部２２から発信される通信回路部２０の情報を受信する機能を有している。また、前記アンテナ３０はアンテナ毎にＩＰと称される個別の識別番号を有している。従って、このＩＰにより当該アンテナ３０が何番台のパチンコ機１０をチェック、監視しているかを後述する管理用コンピューターで判断できるようになっている。
この実施例の遊技機の改竄監視システムにおいては第１コントローラー３４Ａ，第２コントローラー３４Ｂ，第３コントローラー３４Ｃ，第４コントローラー３４Ｄの４台のコントローラーが備えられている。
これら第１コントローラー３４Ａ，第２コントローラー３４Ｂ，第３コントローラー３４Ｃ，第４コントローラー３４Ｄは、それぞれ１６本のアンテナ用ＬＡＮケーブル３２と接続され、１６個のアンテナ３０と接続されている（なお、作図の都合上、図２には前記第１コントローラー３４Ａに１本のアンテナ用ＬＡＮケーブル３２と１個のアンテナ３０を示す）。
前記第１コントローラー３４Ａ，第２コントローラー３４Ｂ，第３コントローラー３４Ｃ，第４コントローラー３４Ｄは接続されたそれぞれのアンテナ３０の管理を行う機能を有している。また、第１コントローラー３４Ａ，第２コントローラー３４Ｂ，第３コントローラー３４Ｃ，第４コントローラー３４Ｄはそれぞれのアンテナ３０から受け取った通信回路部２０の情報の比較、照合、判断（例えば情報が正常か異常かの判断）を行う機能を有している。
さらに、前記第１コントローラー３４Ａ，第２コントローラー３４Ｂ，第３コントローラー３４Ｃ，第４コントローラー３４Ｄはアンテナ３０からの情報が異常情報と判断した場合に後述する管理用コンピューターに異常情報を送信する機能を有している。
この実施例の遊技機の改竄監視システムにおいては第１コントローラー３４Ａは１番台〜１６番台のパチンコ機１０を監視し、第２コントローラー３４Ｂは１７番台〜３２番台のパチンコ機１０を監視し、第３コントローラー３４Ｃは３３番台〜４８番台のパチンコ機１０を監視し、第４コントローラー３４Ｄは４９番台〜６４番台のパチンコ機１０を監視するようになっている。
従って、この実施例では第１コントローラー３４Ａ，第２コントローラー３４Ｂ，第３コントローラー３４Ｃ，第４コントローラー３４Ｄの４台のコントローラーで６４台のパチンコ機１０の制御基板１４の改竄を監視することができるようになっている。
前記第１コントローラー３４Ａ，第２コントローラー３４Ｂ，第３コントローラー３４Ｃ，第４コントローラー３４Ｄはそれぞれのコントローラー用ＬＡＮケーブル３６を介して中継基板３８に接続されている。この中継基板３８はＨＵＢと呼ばれる集線装置であって前記前記第１コントローラー３４Ａ，第２コントローラー３４Ｂ，第３コントローラー３４Ｃ，第４コントローラー３４Ｄと後述する管理用コンピューターを結ぶ機能を有している。
前記中継基板３８は中継基板用ＬＡＮケーブル４０を介してパチンコ店の管理室に設置された管理用コンピューターとしてのパソコン４２に接続されている。このパソコン４２は前記アンテナ３０、第１コントローラー３４Ａ，第２コントローラー３４Ｂ，第３コントローラー３４Ｃ，第４コントローラー３４Ｄ、中継基板３８を介して異常情報が送られてきた場合にパソコン４２の画面部４４に「何番台のパチンコ機で異常」と表示するようになっている。
従って、このパソコン４２の画面部４４を見ることにより何番台のパチンコ機１０の制御基板１４が改竄制御基板に交換されたか等を一目で知ることができるようになっている。
なお、前記パソコン４２は改竄制御基板に交換された等の不正行為が行われた場合は異常情報の発生日時と異常情報が発信されたパチンコ機１０の番台を記録する機能を有している。
なお、前記第１コントローラー３４Ａ，第２コントローラー３４Ｂ，第３コントローラー３４Ｃ，第４コントローラー３４Ｄ、中継基板３８、パソコン４２はそれぞれ独自の電源を有しているが、前記アンテナ３０は第１コントローラー３４Ａ，第２コントローラー３４Ｂ，第３コントローラー３４Ｃ，第４コントローラー３４Ｄからそれぞれ電源を供給されている。【０００８】  次に、第１実施例の遊技機の制御基板及びそれを使用した遊技機の改竄監視システムの作用を説明する。
パチンコ機１０の制御基板１４の基板本体１６の表面には通信回路部２０が直接形成されている。
アンテナ３０をパチンコ機１０の背面に配設すると共にアンテナ用ＬＡＮケーブル３２、第１コントローラー３４Ａ，第２コントローラー３４Ｂ，第３コントローラー３４Ｃ，第４コントローラー３４Ｄ、コントローラー用ＬＡＮケーブル３６、中継基板３８、中継基板用ＬＡＮケーブル４０、パソコン４２、をそれぞれセッティングする。
実施例の遊技機の制御基板及びそれを使用した遊技機の改竄監視システムがセットされたパチンコ店において遊技機の改竄監視システムを「オン状態」にすると第１コントローラー３４Ａは管理する１６台のパチンコ機１０の中の番台の一番若い１番台のパチンコ機１０に対応しているアンテナ３０に対して通信回路部２０の情報を確認するように指示を出す。
これにより、前記第１コントローラー３４Ａに接続されているアンテナ３０は電波を発信して１番台のパチンコ機１０の通信回路部２０と通信を行う。アンテナ３０は通信回路部２０の製造番号等の種々の情報を受信した後で第１コントローラー３４Ａにその情報を送信する。
前記アンテナ３０から情報を受け取った第１コントローラー３４Ａはその情報が正常か異常かを瞬時に判断する。第１コントローラー３４Ａが送られてきた情報が正常情報であると判断すると前記第１コントローラー３４Ａは管理している１６台のパチンコ機１０の中の２番台のパチンコ機１０に配設されているアンテナ３０に対して通信回路部２０の情報を確認するように指示をする。
このようにして、前記第１コントローラー３４Ａは１番台のパチンコ機１０から２番台のパチンコ機１０、３番台のパチンコ機１０というように順番に情報確認指示をそれぞれのパチンコ機１０に配設されているアンテナ３０に対して順番に行う。そして、１６番目の１６番台のパチンコ機１０の情報確認が終了したら前記第１コントローラー３４Ａは再び１番台のパチンコ機１０の通信回路部２０の情報を確認するように指示することによりエンドレスで第１番台のパチンコ機１２〜第１６番台のパチンコ機１０の通信回路部２０の情報確認作業を繰り返す。
なお、遊技機の改竄監視システムを「オン状態」にすると前記第１コントローラー３４Ａだけでなく前記第２コントローラー３４Ｂ，第３コントローラー３４Ｃ，第４コントローラー３４Ｄもそれぞれ管理する１６台のパチンコ機１０の中の若い番台のパチンコ機１０から順番に前記第１コントローラー３４Ａが行った通信回路部２０の情報確認作業を同時進行で行う。【０００９】  また、例えば、不法者が深夜等にパチンコ店に忍び込んで１５番台のパチンコ機１０の基板収容ケース１２に収容されている制御基板１４を改竄制御基板に交換した場合。
このような状態になった時に前記第１コントローラー３４Ａがエンドレスで行っている前記情報確認作業によって前記アンテナ３０が電波を発信して通信回路部２０と通信を行おうとしても改竄制御基板には通信回路部が形成されていないので改竄制御基板は正常な情報を発信することができない。
従って、前記アンテナ３０は異常情報を前記第１コントローラー３４Ａに送信する。
アンテナ３０から前記情報を受け取った第１コントローラー３４Ａは当該情報を異常情報と判断すると、前記中継基板３８を介してパソコン４２に１５番台のパチンコ機１０は異常情報を発信した旨を報告する。
前記第１コントローラー３４Ａから異常情報の報告を受け取ったパソコン４２はアンテナ３０のＩＰが何番台のパチンコ機１０で異常が起こっているかを判断し、画面部４４上に「１５番台のパチンコ機１０は異常情報」と表示する。
従って、パチンコ店側はパソコン４２の画面４４を見るだけで多数のパチンコ機１０の中の１５番台のパチンコ機１０で不正行為行われた可能性があることを瞬時に知ることができる。
これにより、パチンコ店側はパソコン４２の画面部４４に表示されている１５番台のパチンコ機１０に駆けつけて、不正にパチンコ機１０のゲームをコントロールして多くの出玉を不正に獲得する行為を未然に防止することができる。
従って、本考案の遊技機の制御基板及びそれを使用した遊技機の改竄監視システムを使用すれば従来のようにパチンコ機１０の基板収容ケース１２を外側から見て基板収容ケース１２内の制御基板が正規の制御基板１４か改竄制御基板かをチェック、監視するような煩雑な作業が必要がないので、多数のパチンコ機１０の改竄を短時間で簡単にチェック、監視することができる。しかも、この実施例の場合エンドレスでチェック、監視が行われているので常時パチンコ機１０の改竄をチェック、監視することができる。
なお、パチンコ機１０の改竄を発見した後は前記パソコン４２をリセット操作して画面部４４に表示されている「１５番台のパチンコ機１０は異常情報」の表示を消す。
そして、同様に再び、パソコン４２でパチンコ機１０の監視を継続する。
なお、例え改竄制御基板に通信回路部が設けられていたとしても正規の制御基板１４の通信回路部２０のＩＣチップ２４に記憶されている情報と異なるので、このような場合であってもパチンコ機１０の改竄を確実にチェック、監視することができる。
【第２実施例】
【００１０】  図３には本考案の第２実施例の遊技機の制御基板及びそれを使用した遊技機の改竄監視システムが示されている。なお、第１実施例と同一の構成は同一の符号を用いてその説明を省略する。
第２実施例の遊技機の改竄監視システムに適用される第１コントローラー５４Ａ，第２コントローラー５４Ｂ，第３コントローラー５４Ｃ，第４コントローラー５４Ｄは接続されたそれぞれのアンテナ３０の管理を行う機能を有している。
しかし、これら第１コントローラー５４Ａ，第２コントローラー５４Ｂ，第３コントローラー５４Ｃ，第４コントローラー５４Ｄは第１実施例の第１コントローラー３４Ａ，第２コントローラー３４Ｂ，第３コントローラー３４Ｃ，第４コントローラー３４Ｄと異なりアンテナ３０から受け取った通信回路部２０の情報の比較、照合を行う機能は有していない。
なお、前記第１コントローラー５４Ａ，第２コントローラー５４Ｂ，第３コントローラー５４Ｃ，第４コントローラー５４Ｄはアンテナ３０から受けた情報を中継基板３８を介して管理用コンピューターとしてのパソコン５６に送信する機能を有している。
このパソコン５６は前記第１コントローラー５４Ａ，第２コントローラー５４Ｂ，第３コントローラー５４Ｃ，第４コントローラー５４Ｄから送られてきた通信回路部２０の情報の比較、照合、判断を行う機能を有している。
また、前記パソコン５６は送られてきた通信回路部２０の情報が異常であると判断した場合は、パソコン５６の画面部５８に「何番台のパチンコ機で異常」と表示する機能を有している。
なお、第２実施例の遊技機の改竄監視システムの他の構成は第１実施例の遊技機の改竄監視システムと同一であるので、その説明は省略する。
【００１１】  次に、第２実施例の遊技機の改竄監視システムの作用を説明する。なお、第１実施例の遊技機の改竄監視システムの作用、効果と同一の点はその説明を省略する。
第２実施例の遊技機の改竄監視システムがセットされたパチンコ店において遊技機の改竄監視システムを「オン状態」にすると第１コントローラー５４Ａは管理する１６台のパチンコ機１０の中の番台の一番若い１番台のパチンコ機１０に対応しているアンテナ３０に対して通信回路部２０の情報を確認するように指示を出す。
これにより、前記第１コントローラー５４Ａに接続されているアンテナ３０は電波を発信して１番台のパチンコ機１０の制御基板１４の通信回路部２０と通信を行う。アンテナ３０は通信回路部２０の製造番号等の種々の情報を受信した後で第１コントローラー５４Ａにその情報を送信する。
前記アンテナ３０から情報を受け取った第１コントローラー５４Ａはその情報をそのまま中継基板３８を介してパソコン５６に送る。
第１コントローラー５４Ａは前記情報をパソコン５６に送ると２番台のパチンコ機１０、３番台のパチンコ機１０というように順番に情報確認指示をそれぞれのパチンコ機１０に配設されているアンテナ３０に対して順番に行う。そして、１６番目の１６番台のパチンコ機１０の情報確認が終了したら前記第１コントローラー５４Ａは再び１番台のパチンコ機１０の通信回路部２０の情報を確認するように指示することによりエンドレスで１番台のパチンコ機１０〜１６番台のパチンコ機１０の通信回路部２０の情報確認作業を繰り返す。
一方、前記第１コントローラー５４Ａから通信回路部２０の情報を送られたパソコン５６は当該情報が正常か異常かを照合判断する。
前記パソコン５６が情報を異常であると判断した場合は、その異常情報を照合して前記パソコン５６の画面部５８に「何番台のパチンコ機で異常」と表示する。
なお、遊技機の改竄監視システムを「オン状態」にすると前記第１コントローラー５４Ａだけでなく前記第２コントローラー５４Ｂ，第３コントローラー５４Ｃ，第４コントローラー５４Ｄもそれぞれ管理する１６台のパチンコ機１０の中の若い番台のパチンコ機１０から順番に通信回路部２０の情報確認作業を同時進行で行いアンテナ３０からの情報をそのまま中継基板３８を介してパソコン５６に送る。
なお、他の作用、効果は第１実施例の遊技機の改竄監視システムと同一であるので、その説明は省略する。
【００１２】  なお、第１実施例の遊技機の改竄監視システム、第２実施例の遊技機の改竄監視システムの第１コントローラー３４Ａ（５４Ａ），第２コントローラー３４Ｂ（５４Ｂ），第３コントローラー３４Ｃ（５４Ｃ），第４コントローラー３４Ｄ（５４Ｄ）とパソコン４２（５６）の通信を図４に示すようにＰＬＣ（電力線通信）に置き換えるようにしてもよい。
この場合は図４に示されるように、第１コントローラー３４Ａ（５４Ａ），第２コントローラー３４Ｂ（５４Ｂ），第３コントローラー３４Ｃ（５４Ｃ），第４コントローラー３４Ｄ（５４Ｄ）のコントローラー用ＬＡＮケーブル３６は第１ＰＬＣ変換機６０に接続されている。この第１ＰＬＣ変換機６０のケーブルは既設されている電力線６２の第１コンセント６４Ａに接続されている。
また、パソコン４２（５６）に接続されたコンピューター用ＬＡＮケーブル６６は第２ＰＬＣ変換機６８に接続されている。この第２ＰＬＣ変換機６８のケーブルは前記電力線６２の第２コンセント６４Ｂに接続されている。
従って、遊技機の改竄監視システムにおいてＰＬＣ（電力線通信）を利用すれば前記中継基板３８を不要にすることができる。
【第３実施例】
【００１３】  図５には本考案の第３実施例の遊技機の制御基板及びそれを使用した遊技機の改竄監視システムが示されている。なお、第１実施例と同一の構成は同一の符号を用いてその説明を省略する。
図５に示されるように、第３実施例の遊技機の制御基板及びそれを使用した遊技機の改竄監視システムにおいては前記通信回路部２０の情報は店員等がＩＣ読取チェッカー７０を手に持ってＩＣ読取チェッカー７０でパチンコ機１０の制御基板１４の基板本体１６に形成された通信回路部２０の情報を読み取るようになっている。
このＩＣ読取チェッカー７０は前記通信回路部２０のＩＣチップ２４に記憶された情報を読み取る読取機能が内蔵され、電波を発信することにより前記ＩＣチップ２４に記憶されている情報を読み取ることができるようになっている。
この読み取り結果はＩＣ読取チェッカー７０のディスプレー部７２に表示（例えば、情報を読み取れると「ＯＫ」の文字が表示され、情報を読み取れないと「ＮＧ」の文字が表示される）されるようになっている。
この結果、不法者が前記制御基板１４を改竄制御基板に交換する等の不正行為があると前記ＩＣ読取チェッカー７０を操作してもディスプレー部７２にはＩＣチップ２４に記憶されている情報を読み取れなかった表示（例えば「ＮＧ」の文字が表示される）が表れる。
従って、前記ＩＣ読取チェッカー７０がＩＣチップ２４の情報を読み取れずディスプレー部７２に「ＮＧ」の文字が表示された場合は前記制御基板１４が改竄制御基板に交換される等の不正行為があったことを迅速にチェック、確認することができる。
なお、この第３実施例の遊技機の改竄監視システムは前記ＩＣ読取チェッカー７０を用意すれば第１実施例及び第２実施例の遊技機の改竄監視システムのようにコントローラーやパソコン等が不要であるので、パチンコ店側の設備費用を抑えることができるという利点を有している。
【００１４】  なお、この実施例では遊技機としてパチンコ機１０を例にして説明したが、遊技機はパチンコ機１０に限定されるものでなく、例えばパチスロ機等をはじめとする他の遊技機でもよいことは勿論である。
また、実施例では通信回路部２０を制御基板１４の基板本体１６の表面に形成したが、通信回路部２０を形成する場所は制御基板１４の基板本体１６であれば限定されるものでないことは勿論である。
なお、第１実施例、第２実施例では第１コントローラー３４Ａ、５４Ａ，第２コントローラー３４Ｂ、５４Ｂ，第３コントローラー３４Ｃ、５４Ｃ，第４コントローラー３４Ｄ、５４Ｄの４台のコントローラーで６４台のパチンコ機１０を監視したが、コントローラーは４台に限定されるものでなく、また、１台のコントローラーが管理するパチンコ機１０の数も１６台に限定されるものでないことは勿論である。
また、第１実施例、第２実施例では管理用コンピューターとしてパソコン４２，５６を示したが管理用コンピューターはパソコンに限定されるものでないことは勿論である。
【図面の簡単な説明】
【００１５】
【図１】実施例の遊技機の制御基板の平面図である。
【図２】第１実施例の遊技機の改竄監視システムの全体概略図である。
【図３】第２実施例の遊技機の改竄監視システムの全体概略図である。
【図４】第１実施例、第２実施例の遊技機の改竄監視システムの変形例を示す全体概略図である。
【図５】第３実施例の遊技機の改竄監視システムの全体概略図である。
【符号の説明】
１０    パチンコ機
１２    基板収容ケース
１４    制御基板
１６    基板本体
２０    通信回路部
３０    アンテナ
３２    アンテナ用ＬＡＮケーブル
３４Ａ  第１コントローラー
３４Ｂ  第２コントローラー
３４Ｃ  第３コントローラー
３４Ｄ  第４コントローラー
３６    コントローラー用ＬＡＮケーブル
３８    中継基板
４０    中継基板用ＬＡＮケーブル
４２    パソコン
【図１】
0003135869.tif 000003
【図２】
0003135869.tif 000004
【図３】
0003135869.tif 000005
【図４】
0003135869.tif 000006
【図５】
0003135869.tif 000007